(57)【要約】      （修正有）【課題】テロップ情報の表示とともに表示する画像情報の表示を制御するテロップ情報表示装置および方法を提供する。【解決手段】テロップ表示すべき複数の情報を記憶するテロップ情報記憶部、前記テロップ情報のそれぞれに対応する複数の静止画像情報を記憶する画像情報記憶部及び表示部を備え、前記静止画像情報の表示部への表示開始とともにこれに対応するテロップ情報を表示部に表示し、テロップ情報の表示終了とともに表示部上の静止画像情報を別の静止画像情報に切り替えるとともに対応する別のテロップ情報を表示部に表示し、以後、同様に静止画像とこれに対応するテロップ情報を同期して表示させる情報表示装置。【選択図】図３
2012014600.tif 000002
【特許請求の範囲】
【請求項１】
テロップ表示すべき複数の情報を記憶するテロップ情報記憶部、前記テロップ情報のそれぞれに対応する複数の静止画像情報を記憶する画像情報記憶部及び表示部を備え、前記静止画像情報の表示部への表示開始とともにこれに対応するテロップ情報を表示部に表示し、テロップ情報の表示終了とともに表示部上の静止画像情報を別の静止画像情報に切り替えるとともに対応する別のテロップ情報を表示部に表示し、以後、同様に静止画像とこれに対応するテロップ情報を同期して表示させる情報表示装置。
【請求項２】
テロップ情報が、表示部内であって静止画像情報の表示領域の上下左右のいずれかの外側の領域において時間経過とともに一定の方向に移動して表示される請求項１に記載の情報表示装置。
【請求項３】
テロップ情報が静止画像情報上に時間経過とともに一定の方向に移動して表示される請求項１に記載の情報表示装置。
【請求項４】
テロップ情報と静止画像情報の少なくとも一方が３次元表示される請求項１〜３のいずれかに記載の情報表示装置。
【請求項５】
入力されたテロップ表示すべき複数の情報及びそれぞれに対応する複数の静止画像情報をテロップ情報、静止画情報としてそれぞれの対応付けを保ちながら記憶し、前記静止画像情報の表示装置への表示開始とともにこれに対応するテロップ情報を表示装置に表示し、テロップ情報の表示終了とともに表示装置上の静止画像情報を別の静止画像情報に切り替えるとともに対応する別のテロップ情報を表示装置に表示し、以後、同様に静止画像とこれに対応するテロップ情報を同期して表示させる情報表示プログラム。
【請求項６】
テロップ表示すべき複数の情報を含むテロップ情報セット、前記テロップ情報のそれぞれに対応する複数の静止画像情報を含む画像情報セットを配信するサーバと請求項１に記載の情報表示装置を含む情報提供システムであって、配信された情報が前記情報表示装置のテロップ情報記憶部と画像情報記憶部にそれぞれ記憶され、情報表示装置において表示されるように、前記サーバが所定のタイミングで前記配信を行う情報提供システム。
【請求項７】
前記情報が不動産物件情報である請求項６に記載の情報提供システム。
【発明の詳細な説明】
【技術分野】
【０００１】
本発明は、情報をテロップとともに表示する装置・プログラムおよび提供方法に関し、特にテロップ情報と画像情報を同期して表示するテロップ情報表示装置・プログラムおよびテロップ付情報提供システムに関する。
【背景技術】
【０００２】
不動産の店頭広告等では、一般に、不動産情報配信業者が、平面図、価格、写真等の不動産情報を１枚のチラシに構成し、それをＦＡＸやメール等で不動産業者に配信し、不動産業者はそれを店頭に貼り付けるなどして表示し、購入／賃借希望者等がそれらの中から関心を持ったものを選ぶ。不動産業者が独自に入手した情報を購入／賃借希望者等に直接店頭に掲示する場合も基本的には同様である。
【０００３】
不動産業者によってはウェブサイトを設けてインターネット上で情報を配信する場合もあるが、個別の不動産屋において、ウェブサイトを設けて不動産情報を提供するのは負担が大きい。また、ウェブサイトを設けて不動産情報を提供した場合、購入／賃借希望者等は情報のみを取得して実際の仲介契約を他社（他店）と結ぶ場合も多く、コストに見合った効果が得にくい。さらに、契約済み物件を除外するなど絶えず更新しなければならず、この点でも手間やコストが掛かる。
【０００４】
しかし、現状のようなチラシ等の張り出しでは購入／賃借希望者への訴求力は弱く、物件ごとの違いを説明するのには不便である。購入／賃借希望者等が不動産業者等に直接相談する段階では、より詳細な情報を提供できるが、それ以前の段階では、購入／賃借希望者等がチラシ等を閲覧・入手して情報を得るのに任せており、積極的な情報提示が行われているとは言えない。
【０００５】
このような事情は、不動産以外の多くの商品の店頭広告についても同様であり、例えば、スーパーやドラッグストア等でも基本的に、各店舗での宣伝は、チラシの配布か個別商品のポップ広告の組み合わせという例がほとんどである。
【０００６】
この点では、店頭にディスプレイを設置し商品情報を画像と説明とを組み合わせて提示するのが、合理的である。このような観点で、宣伝・広告とは関係なくディスプレイにおける画像と文字情報の組み合わせを見ると、テレビ、カラオケにおいて、説明文または歌詞などをテロップ表示することは従来広く行われており、特許文献において各種の技術が提案されてきた。
【０００７】
例えば、特許文献１は、演奏曲の歌詞テロップの切換表示タイミングで背景映像を切換えるものであり、映像切換予定時刻に合わせてテロップの表示速度を制御するものである。特許文献２は、曲演奏情報の中に、演奏用データと、歌詞テロップデータと、表示切換フラグを挿入し、ＣＰＵが表示切換フラグを認識すると、歌詞テロップと背景画像を同時に切換えることにより、カラオケの演奏にあわせてテロップと映像を切換えるものである。特許文献３は、カラオケの歌詞テロップを表示する装置であって、文字サイズ設定手段を備え、設定された文字サイズで歌詞テロップを表示するものである。また楽曲のテンポ情報に基づいて画面に表示する文字数を変化させ、あるいは文字サイズを変化させるものである。特許文献４は、字幕、メニュー、カラオケの歌詞表示などサブピクチャの表示形式をユーザが表示色、サイズ、位置またはスクロール速度を設定することにより変更できるものである。
【０００８】
しかし、上記特許文献１では、映像の切替予定時刻および現在再生中の編集映像の残り時間を比較検討して、切替予定時刻の方が先に来る場合には、再生速度を速くし、現在再生中の編集映像の方が先に終わる場合には再生速度を遅くする操作を映像デコーダに対して行なう処理が必要である。
【０００９】
上記特許文献２では、映像情報記憶手段及び映像情報読出手段を、実質的に複数の系統からそれぞれ個別に読み出し可能に構成し、表示制御手段は、上記映像の切替表示に際し、それまでの表示に用いていた系統以外の系統によって、該当する映像をその頭から読み出して表示させる系統切替制御手段を備えることが必要である。
【００１０】
特許文献３は、テロップ情報の文字数を変化させるため、情報の提示スタイルが変化してしまう。特許文献４は動画情報との関連表示に限定されたものである。
【００１１】
しかし、不動産や商品の説明等においては、上記のような複雑な制御は必ずしも必要ないばかりか、画像の煩雑な動きは却って情報の認知性を低めてしまう。また、従来技術のような処理はプログラムにおいても機器においてもコストアップを招き、そもそも店頭広告にデジタル広告が浸透していないという現状を変えるインセンティブを伴うものではない。むしろ、テロップには滑らかな動きが重要であり、廉価なパソコンでそれを実現することが必要である。
【先行技術文献】
【特許文献】
【００１２】
【特許文献１】特開平７−３１９４８５号公報
【特許文献２】特開平７−３１９４８４号公報
【特許文献３】特開平７−３３４１７８号公報
【特許文献５】特開２００１−７８１４９号公報
【発明の概要】
【発明が解決しようとする課題】
【００１３】
本発明は、店頭広告等として広く利用可能な低コストかつシンプルな情報表示システムを提供することを課題とする。
【課題を解決するための手段】
【００１４】
本発明者は、上記課題を解決すべく鋭意検討した結果、特にテロップのような情報との組み合わせでは、静止画ごとにテロップを滑らかに移動させ、静止画とテロップの同期性・連動性を高めることが、広告手段として有効であることを見出し、本発明を完成するに至った。
【００１５】
すなわち、本発明は、テロップ表示すべき複数の情報を記憶するテロップ情報記憶部、前記テロップ情報のそれぞれに対応する複数の静止画像情報を記憶する画像情報記憶部及び表示部を備え、前記静止画像情報の表示部への表示開始とともにこれに対応するテロップ情報を表示部に表示し、テロップ情報の表示終了とともに表示部上の静止画像情報を別の静止画像情報に切り替えるとともに対応する別のテロップ情報を表示部に表示し、以後、同様に静止画像とこれに対応するテロップ情報を同期して表示させる情報表示装置を提供する。
【発明の効果】
【００１６】
本発明によれば、静止画像情報に合わせてテロップ情報を滑らかに同期表示するので、視聴者に知らせたいテロップ情報の内容を確実に全て視認させることができる。これにより、顕著な広告効果、説明効果を実現できる。
【図面の簡単な説明】
【００１７】
【図１】テロップ情報表示装置のブロック図である。
【図２】テロップ情報の説明図である。
【図３】表示部に表示されるテロップ情報および画像情報の表示形態の説明図である。
【発明を実施するための形態】
【００１８】
（実施形態１）
図１は本発明の情報表示装置の一実施形態の構成を示すブロック図である。このブロック図において、本発明の特徴部分は、静止画像データ記憶部１２０、テロップデータ記憶部１３０、画像再生部１４０によって構成される。これら特徴部分が他の部分と協働して本発明の情報表示装置を構成する。
【００１９】
一般的には、本発明の装置は、以上の他、本発明の情報表示装置全体を制御する部分であり、また本発明のフローチャートを実行する部分である制御部１０を含む。制御部１０は通信インターフェース３０を介してネットワーク２０と接続していてもよい。ネットワーク２０は、インターネットなどの外部ネットワークでもよいし、ＬＡＮ等の内部ネットワークでもよい。制御部１０には、通常、さらに、入力部４０、表示部５０、音声出力部６０、ＲＯＭ７０、ＲＡＭ８０、不揮発メモリ９０、記録媒体１００と接続される。これらは、一般的なパーソナルコンピュータで実現されるものが利用でき、それぞれの機能や構成は一般的なパーソナルコンピュータと同様である。
【００２０】
なお、入力部に装備される実際の入力手段は、通常のキーボードやマウス、キーパッド等でもよいし、後述の表示部のモニタ上等に装備されるタッチパネルでもよい。また。マイクを介した音声認識も含まれる。表示部５０は装置に内蔵されていてもよいし、外部の表示装置でもよい。この表示画面は、液晶モニタモジュール、プラズマ表示装置、ブラウン管表示装置またはＬＥＤ表示装置等により構成される。
【００２１】
記録媒体１００は、例えばＨＤにより実現され、情報を追加、変更、消去など記録可能な記録媒体である。本発明では、表示部５０に表示するための静止画像データ、テロップ情報、さらに必要に応じてこれらを制御するための情報および本発明のプログラムを格納する。これらデータは以下のような部分に仮想的に分けて蓄積される。静止画データ記憶部１２０は、制御部１０の制御指示に従って表示部５０に表示するための静止画データを格納する部分である。静止画情報は、写真、イラストレーション、透視図、平面図等のような静止画情報であり、他との識別が可能なＩＤ情報を有する。静止画情報は１画面だけで１単位の情報（例えば、特定の不動産物件のチラシ的な情報）を構成してもよいし、複数の画面のセットで１単位の情報（例えば、特定の不動産物件情報を平面図・写真等で多角的に表すもの）を構成してもよい。
【００２２】
テロップデータ記憶部１３０は、制御部１０の制御指示に従って表示部５０に表示するためのテロップデータを格納する部分である。例えば、図２に示すように、テロップ＃１、テロップ＃２のように番号付けされたテロップ情報ごとに、テロップ情報、Ｘ座標、Ｙ座標、幅、高さ、記述形式、文字方向、フォント種、フォントサイズ、文字色、背景色、表示方向、表示速度、言語種、対応する静止画像のＩＤ等、テロップ情報およびその属性データと対応関係データをテーブル形式で格納する。テロップ情報は基本的に文字データであるが、絵文字やキャラクター等の絵あるいはアニメーションや動画でもかまわない。
【００２３】
画像再生部１４０は、テロップ情報とともに表示する静止画像を制御する部分である。テロップ情報の表示開始とともに対応する静止画像のＩＤから、静止画像の表示を開始する。テロップ情報の表示終了とともに又はその前に次のテロップ情報を読み込み、テロップ情報の表示終了とともに、次の静止画像を表示し、同時にそれに対応するテロップ情報の表示を開始する。なお、ここでは、テロップ情報中に静止画像のＩＤが含まれるものとして説明しているが、番号付けされた静止画像中にテロップ情報のＩＤを含め、静止画から対応するテロップ画像を特定してもよいし、テロップ情報と静止画像それぞれにＩＤを付与し、別に対応表を設け、これによって、それぞれの対応付けをしてもよい。後述のように、本発明では一つの静止画像に対し複数のテロップ情報を対応させることもできるが、この場合は、静止画像中にテロップ情報のＩＤを含めるか、別に対応表を設け、これによって、それぞれの対応付けをすることが好ましい。複数の静止画像と複数のテロップ情報を対応させる場合は対応表を設け、これによって、それぞれの対応付けをすることが好ましい。
【００２４】
図３は本発明のテロップ情報表示装置によって表示部５０に表示されるテロップ情報と画像情報の表示状態を説明する図である。表示部５０の下方にテロップを表示するためのテロップ表示領域１が形成される。また表示部５０の概ね中央部分に静止画像情報を表示する表示枠２が形成される。必要であれば、右半分に、例えば、静止画の全部または一部を一覧したり、すべての静止画に共通する情報を提示する表示枠３を設けてもよい。
【００２５】
図３に示した画面レイアウトは一例であり、表示枠１、２、３はどのように配置してもよい。また、表示枠１と２は重畳していてもよい。さらに、例えば、テロップ表示領域は複数でもよく、また画面の右側または左側のように縦方向に配置してもよい。また静止画像情報の表示枠は１つでもかまわない。この他、任意のレイアウトが可能であり、表示枠およびテロップ表示領域の数、大きさも任意に変更することが可能である。また本発明の情報表示装置は、画像表示部と組み合わせずに、テロップ情報を単独で表示する独立したテロップ情報表示装置として使用することも可能である。
このような画面レイアウトは、予め設定しておいてもよいし、表示枠ごとに、それぞれＸ座標、Ｙ座標、幅および高さを数値で設定し、この数値を変更することにより、画面レイアウトを変更できるようにしてもよい。
【００２６】
テロップの表示と静止画の同期は様々な手法で行うことができる。
例えば、文字列データを、予め文字列データ格納領域に設定し、その領域全体の表示位置を一定時間ごとにテロップ表示領域内で移動することにより、テロップのスクロールを行う。テロップ表示領域内での移動は、文字列データをメモリ内でシフトさせることにより行う。
【００２７】
テロップの表示と静止画の同期は、テロップ情報の表示終了を検知し、静止画像情報の表示とテロップの表示を切り替えることにより行う。テロップ情報の表示終了は、移動方向の座標をX座標とし、文字列データ格納領域の終端のＸ座標が、テロップ表示領域の先頭のＸ座標に達した場合、表示終了を検知する。この他、予め、文字列データの長さ、テロップ表示領域の長さから、何回のシフトでテロップ表示領域の先頭のＸ座標に達するかを計算し、シフト回数がその値に達したら一致したら達したと判断してもよいし、予め、文字列データの長さ、テロップ表示領域の長さ、予定する移動速度から到達時間を計算して、その時間が経過したら達したと判断してもよい。
【００２８】
また、静止画像情報の表示時間を設定することも可能であり、この場合、テロップ情報の表示が終了しても、表示時間が経過するまで、静止画像情報とテロップ情報の切り替えを行わないことも可能である。
【００２９】
テロップ情報の表示終了は、通常、画面右端から開始されたテロップ情報の終端が、画面左端に達した場合とするが、テロップ情報の先頭が画面左端に達した場合でもよいし、テロップ情報の全体が画面中央に達した場合でもよい。また、テロップ情報を移動することなく画面左端または、画面中央に固定表示することも可能であり、この場合、前述の静止画像情報の表示時間を設定することにより、テロップ情報との同期制御が可能となる。
上記の同期制御方式は、画面レイアウトで利用者が自由に選択可能としてもよい。
【００３０】
例えば、文字列「あいうえおかきくけこさしすせそ」をテロップ情報とする場合、まず、初期処理として、文字列データ格納領域に文字列“あいうえおかきくけこさしすせそ”
を設定する。Ｘ座標位置をテロップ表示領域の終端＋１pixel （ピクセル）として表示する（初期描画）。 一方、テロップ移動タイマーを設定する。通常は、マルチメディアタイマーを使用し、例えば、タイマー設定値を4ms（ミリ秒）とする。テロップ移動幅は設定ファイルで保持、ユーザの選択可能である。例えば、移動幅：2〜20[1/10pixel] （10分の１ピクセル）とする。各時点でのＸ座標に上記で設定したテロップ移動幅から算出した値を減算し、シフト表示（再描画）することで文字列を移動させる。
【００３１】
文字列データ格納領域を描画する際、通常、表示位置の指定がピクセル単位となるため、１ピクセル以下の値を設定することができない。そこで、移動幅として10倍の値を設定し、移動時に10で割った値を移動ピクセル数とする。この時、10で割った余りを移動余りとして保持し、次回の移動時に移動幅に加算して移動ピクセル数を算出する。
（式１） 
Ｘ座標 -= (移動幅+移動余り)/10;
（式２） 
移動余り = (移動幅 + 移動余り)%10;
【００３２】
移動幅が、10[1/10pixel] （10分の１ピクセル）の場合の移動ピクセル数は
(移動幅+移動余り)/10=1,1,1,1,1,1,1,1,1,1,1...
となるが、例えば、移動幅が5[1/10pixel] （10分の１ピクセル）の場合の移動ピクセル数は、(移動幅+移動余り)/10=0,1,0,1,0,1,0,1,0,1,0...
として処理する。
【００３３】
すなわち、
１回目(移動幅：5 + 移動余り：0[初期値])/10=移動ピクセル数:0 移動余り：5
２回目(移動幅：5 + 移動余り：5[１回目])/10=移動ピクセル数:1
移動余り：0
３回目(移動幅：5 + 移動余り：0[２回目])/10=移動ピクセル数:0 移動余り：5
４回目(移動幅：5 + 移動余り：5[３回目])/10=移動ピクセル数:1
移動余り：0
等とする。
【００３４】
シフトさせるごとに文字列データ格納領域の終端のＸ座標をテロップ表示領域の先頭のＸ座標と比較して、文字列データ格納領域の終端のＸ座標が、テロップ表示領域の先頭のＸ座標より小さくなったら表示終了を検知する。
【００３５】
上記の説明では、予め決められた順番で静止画情報とテロップ情報を流すようにしたが、例えば、利用者が、タッチパネル等によって任意に情報を選べるようにしてもよい。例えば、図３の表示枠３に複数の静止画情報を表示し、利用者の選択に応じて静止画情報とそれに応じたテロップ情報を表示する。あるいはその前提として、静止画情報中に複数のタグ情報を含ませるか静止画情報とタグ情報とを関連付け、また、図３の画面レイアウトの前に選択用画面を設けておき、利用者が選択できるようにする。
【００３６】
例えば、不動産情報の場合、トップページとして、「価格帯」「地域」「居住環境」等の選択ができるような画面を設け、利用者の入力に応じて該当する物件リストを図３の表示枠３にリストアップするとともに、その中の適当な１件について表示枠１と２で静止画情報とテロップ情報を表示する。利用者が表示枠３中の特定の物件を選択した場合は、その静止画情報とテロップ情報を表示する。
【００３７】
（実施形態２）
本発明はまた、テロップ表示すべき複数の情報を含むテロップ情報セット、前記テロップ情報のそれぞれに対応する複数の静止画像情報を含む画像情報セットを配信するサーバと実施形態１に記載の情報表示装置を含む情報提供システムであって、配信された情報が前記情報表示装置のテロップ情報記憶部と画像情報記憶部にそれぞれ記憶され、情報表示装置において表示されるように、前記サーバが所定のタイミングで前記配信を行う情報提供システムを提供する。
【００３８】
ここで、サーバは、企業等が同一企業内に配信するためのサーバでもよいし、特定の企業が契約企業に対し配信するためのサーバでもよい。例えば、前者としては、通常の企業内において、本店から各支店の情報表示装置にデータを送る場合、スーパーやドラッグストア、レストラン、ファストフード、コンビニエンスストア、居酒屋等のフランチャイズチェーンにおいて、本部から各店舗に備え付けた情報表示装置に特定の商品情報やキャンペーン情報、売り出し情報を配信するケースが考えられる。また、後者としては、不動産賃貸／販売における不動産情報、車販ディーラー、書店等に情報を配信するケースが考えられる。
【００３９】
不動産賃貸の例で言えば、  本発明による情報配信サービスシステムでは、情報提供者が提供する不動産情報は、地図、平面図、外観、内部写真等の静止画と所在地、価格（売買であれば売値、賃貸であれば賃料）その他の条件等のテロップ情報を含む。ここで、テロップ情報の例としては、保証金、敷金、礼金等の条件や、その物件の特徴（平面図に対応した敷地や間取りの特徴、ペット飼育の可否、防音、地図情報に対応した周辺施設の案内、外観写真に対応した周囲の建物との関係、駐車場・駐輪場、景観、内部写真に対応したリフォーム、リノベーション等の情報、備え付け施設の説明）があり得る。
これらの情報は、配信サーバから、実施形態１に記載の情報表示装置（本例では不動産業者の広告用装置。以下、利用端末とも言う。）に所定のタイミングで伝送され、前記情報表示装置のテロップ情報記憶部と画像情報記憶部にそれぞれ記憶される。
【００４０】
所定のタイミングは定期的なもの（例えば、毎日始業前更新）でもよいし、情報に変動があった都度（物件が新たに加わったり、契約成立により除かれたりした場合）でもよいし、端末利用者からの更新要求によるもの、あるいはこれらの組み合わせでもよい。
【００４１】
伝送は一般には通信ネットワークを介して行われる。この場合、データの更新をする際には変更の必要のあるデータのみを伝送することが好ましい。また、データは、直接、配信サーバから、各利用端末の記憶領域に送られることが好ましいが、電子メールにより送信し、利用端末での操作により、記憶領域への記憶を行うものでもよい。また、各利用端末への配信条件を予め設定し、サーバ装置において、上記不動産情報の中から、上前配信条件に該当するサービス情報を見付けるための検索処理を実行し、上記検索処理により上記配信条件に該当するサービス情報が見付かった場合に、当該不動産情報を上記通知条件の送信元である利用端末に向け伝送してもよい。
【００４２】
ここで言う配信条件には、例えば、地域、価格帯、築年数等が含まれる。これにより、不動産業者は、見込み顧客に即した不動産情報のみを取得できる。あるいは、情報の中でも特に有利な条件（例えば、物件のレベルの割に価格が廉価なもの）を備えたものを優先的に配信する・しない等の契約を行ってもよい。これらの情報の内容・量に応じ、サーバ側では利用端末ごとへの配信課金を記憶してもよい。
【００４３】
このため、不動産業者は自身の事前の契約条件あるいは端末からサーバに対し希望する不動産情報の配信条件を登録しておくだけでよく、ウエブページを作成したり、複数のウエブページを自身で直接閲覧することも、またウエブページからダウンロードされた掲載情報の中から希望する情報を自身で検索する必要もない。したがって、希望する情報をきわめて簡単かつ短時間に取得することが可能となる。
【００４４】
このようにして取得された不動産情報は、通常は、店頭において連続的に表示されまたは顧客（賃貸や売買に関心を持つ者）の要求により適時に表示される。前述のように、実施形態１に記載の情報表示装置において、顧客の条件に応じた物件情報のみを検索し表示することもできる。
【００４５】
さらに、本発明の装置においては、不動産業者において、テロップ情報や画像情報を編集することも可能である。これにより、その不動産業者が独自に持っている情報を提供したり、特に伝えたい情報を加えることも可能である。また、表示においても、予め選択した物件を高頻度で表示する等、物件間に差異を設けてもよい。
【００４６】
また、本発明では、利用端末からの操作により、配信サーバからの情報の配信の停止・削除を要求することもできる。これは、不動産業者において見込み顧客からの物件の仮押さえの希望等があった場合に特に有効である。例えば、ある不動産業者において手付の交付等による物件の仮押さえがあった場合、その情報を直ちに配信サーバに送信し、その情報はすべての利用端末に即時に送信され、それにより以後、その物件データの表示を停止する。
【００４７】
仮押さえの解除があった場合も、同様にその旨を直ちに配信サーバに送信し、その情報はすべての利用端末に即時に送信され、それにより以後、その物件データの表示を復活する。本契約に至った場合は、削除要求を利用端末から送信し、サーバの配信データから削除するする。このようにすると、配信サーバに登録された不動産情報が半永久的に残留する不具合を防止することができ、これにより不動産情報を円滑に配信することができる。
【産業上の利用可能性】
【００４８】
以上、不動産情報の提供を例として説明をしてきたが、本発明の装置及びシステムは、前述のように、特定の商品情報やキャンペーン情報、売り出し情報を配信するケース、新車・中古車の販売、書籍の販売等の民間施設での利用のほか、求人情報、観光施設の案内、警察情報（指名手配や捜索願）等の公共機関での利用も可能である。
【符号の説明】
【００４９】
１ 静止画表示枠
２ テロップ表示枠
３ その他の表示枠
１０ 制御部
２０ ネットワーク
３０  通信インターフェース部
４０  入力部
５０  表示部
６０  音声出力部
７０  ＲＯＭ
８０  ＲＡＭ
９０  不揮発メモリ
１００ 記録媒体
１２０ 画像データ記憶部
１３０ テロップデータ記憶部
１４０ 画像再生部
【図１】
2012014600.tif 000003
【図２】
2012014600.tif 000004
【図３】
2012014600.tif 000005